(57)【要約】    【課題】無線通信機器におけるアンテナとスピーカーとを一体化してこれらの設置空間を小さくする。    【解決手段】アンテナ一体型スピーカーは、無線通信機器に装着され、該無線通信機器の制御部からの電気信号に対応する音を出力するスピーカユニット１４１と、このスピーカユニット１４１に設けられ、前記制御部と連動して無線信号を送受信するアンテナユニット１４７とを含んで構成される。【選択図】図３
2007089168.tif 000002
【特許請求の範囲】
【請求項１】
無線通信機器に装着され、
前記無線通信機器の制御部からの電気信号に対応する音を出力するスピーカーユニットと、
前記スピーカーユニットに設けられ、前記制御部と連動して無線信号を送受信するアンテナユニットと、
を含むことを特徴とするアンテナ一体型スピーカー。
【請求項２】
前記スピーカーユニットは、
圧電素子を備えた振動板と、
前記振動板と前記制御部とを電気的に接続するように形成され、前記制御部からの電気信号を前記振動板に印加するスピーカー給電部と、を含み、
前記アンテナユニットは、
前記振動板に連結される導電性のアンテナ部と、
前記アンテナ部と前記制御部とを電気的に接続させるアンテナ給電部と、を含むことを特徴とする請求項１に記載のアンテナ一体型スピーカー。
【請求項３】
前記スピーカー給電部は、
前記電気信号が入力される一対の端子部と、
前記一対の端子部のそれぞれと前記振動板とを電気的に接続するように形成され、前記一対の端子部に入力された電気信号を前記振動板に印加する一対の印加部と、
を含むことを特徴とする請求項２に記載のアンテナ一体型スピーカー。
【請求項４】
前記一対の印加部は、前記アンテナ部から離隔して配設されることを特徴とする請求項３に記載のアンテナ一体型スピーカー。
【請求項５】
前記一対の印加部と前記アンテナ部との間に配置され、これらを絶縁する絶縁部材をさらに含むことを特徴とする請求項３に記載のアンテナ一体型スピーカー。
【請求項６】
前記アンテナ部は、前記振動板の外周を囲むように配設され、該振動板を支持することを特徴とする請求項２に記載のアンテナ一体型スピーカー。
【請求項７】
前記アンテナ部は、導電体で形成され、又は非導電体上に導電性物質が塗布された導電パターンで形成されることを特徴とする請求項２に記載のアンテナ一体型スピーカー。
【請求項８】
前記アンテナ部は、略円形状に形成されることを特徴とする請求項７に記載のアンテナ一体型スピーカー。
【請求項９】
前記スピーカーユニットは、
前記制御部に電気的に接続されて音を発生するスピーカーモジュールと、
前記スピーカーモジュールを囲むように配設され、該スピーカーモジュールから発生する音を外部に出力するための音孔が形成されたスピーカーケースと、を含み、
前記アンテナユニットは、
前記スピーカーケースに形成されるアンテナ部と、
前記アンテナ部と前記制御部とを電気的に接続するアンテナ給電部と、を含むことを特徴とする請求項１に記載のアンテナ一体型スピーカー。
【請求項１０】
前記アンテナ部は、前記スピーカーケースの外周面の少なくとも一部に取り付けられる導電体、又は前記スピーカーケースの外周面の少なくとも一部に導電性物質が塗布されて形成される導電パターンであることを特徴とする請求項９に記載のアンテナ一体型スピーカー。
【請求項１１】
前記スピーカーユニットと前記アンテナ部との間に配置され、これらを絶縁する絶縁部材をさらに含むことを特徴とする請求項９に記載のアンテナ一体型スピーカー。
【請求項１２】
本体と、
前記本体に装着される制御部と、
前記本体に装着されて前記制御部に電気的に接続されるアンテナ一体型スピーカーと、を含んで構成され、
前記アンテナ一体型スピーカーは、
前記制御部からの電気信号に対応する音を出力するスピーカーユニットと、
前記スピーカーユニットに形成され、前記制御部と連動して無線信号を送受信するアンテナユニットと、
を含むことを特徴とする無線通信機器。
【請求項１３】
前記スピーカーユニットは、
圧電素子を備えた振動板と、
前記振動板と前記制御部とを電気的に接続するように形成され、前記制御部からの電気信号を前記振動板に印加するスピーカー給電部と、を含み、
前記アンテナユニットは、
前記振動板に連結されるアンテナ部と、
前記アンテナ部と前記制御部とを電気的に接続させるアンテナ給電部と、を含むことを特徴とする請求項１２に記載の無線通信機器。
【請求項１４】
前記スピーカーユニットは、
前記制御部に電気的に接続されて音を発生するスピーカーモジュールと、
前記スピーカーモジュールを囲むように配設され、前記スピーカーモジュールから発生した音を外部に出力するための音孔が形成されたスピーカーケースと、を含み、
前記アンテナユニットは、
前記スピーカーケースの外周面に形成されるアンテナ部と、
前記アンテナ部と前記制御部とを電気的に接続するアンテナ給電部と、を含むことを特徴とする請求項１２に記載の無線通信機器。
【請求項１５】
前記アンテナ一体型スピーカーが、前記本体に少なくとも２つ備えられることを特徴とする請求項１２に記載の無線通信機器。
【請求項１６】
前記本体は、
第１筐体及び第２筐体と、
前記第１筐体と前記第２筐体とを開閉方向に相対的に回転可能に連結するヒンジ部とを含み、
前記アンテナ一体型スピーカーは、前記ヒンジ部の両端部のそれぞれに装着されることを特徴とする請求項１４に記載の無線通信機器。
【請求項１７】
前記本体は、
信号が入力される入力ユニットと、
前記制御部の制御に応じて視覚情報を出力するディスプレイユニットと、
をさらに含むことを特徴とする請求項１２に記載の無線通信機器。
【請求項１８】
無線通信機器に装着されるアンテナ一体型スピーカーの製造方法であって、
入力される電気信号に対応する音を出力するスピーカーユニットに、無線信号を送受信するためのアンテナ部を形成する段階と、
前記無線通信機器に装着された際に、前記アンテナ部と前記無線通信機器の制御部とを電気的に接続するアンテナ給電部を形成する段階と、
を含むことを特徴とするアンテナ一体型スピーカーの製造方法。
【請求項１９】
前記アンテナ部を形成する段階は、前記スピーカーユニットに導電性物質を塗布することによって前記アンテナ部を形成することを特徴とする請求項１８に記載のアンテナ一体型スピーカーの製造方法。
【請求項２０】
前記アンテナ部は、前記電気信号が入力される前記スピーカーユニットの印加部と絶縁されることを特徴とする請求項１８に記載のアンテナ一体型スピーカーの製造方法。
【請求項２１】
視覚情報を出力するディスプレイユニットと、
情報が入力される入力ユニットと、
音を入力するためのマイクロホンと、
無線信号を送受信するためのトランシーバモジュールと、
音を出力するスピーカーユニットの外周上の少なくとも一部にアンテナユニットが取り付けられたアンテナ一体型スピーカーと、
前記ディスプレイユニット、前記入力ユニット、前記マイクロホン、前記トランシーバモジュール及び前記アンテナ一体型スピーカーを制御する制御部と、を含んで構成され、
前記制御部は、前記スピーカーユニットに電気信号を印加して所定の音を出力させる一方、前記アンテナユニット及び前記トランシーバモジュールを制御して前記無線信号を送受信することを特徴とする無線通信機器。
【請求項２２】
前記スピーカーユニットは、圧電素子又は電磁石を使用したものであることを特徴とする請求項２１に記載の無線通信機器。
【請求項２３】
前記スピーカーユニットは、
振動膜と、
前記振動膜と前記制御部とを電気的に接続するように形成され、前記制御部からの電気信号を前記振動膜に印加するスピーカー給電部と、を含み、
前記スピーカー給電部を介して前記制御部からの電気信号が印加されると、前記振動膜が振動するように構成されることを特徴とする請求項２１に記載の無線通信機器。
【請求項２４】
前記スピーカー給電部は、前記アンテナユニットから離隔して配置され、該アンテナユニットとの間の電気的干渉を最小化するように構成されることを特徴とする請求項２３に記載の無線通信機器。
【請求項２５】
前記アンテナユニットは、
前記振動膜の外周部分の少なくとも一部に対応するように形成されるアンテナ部と、
前記アンテナ部と前記制御部とを電気的に接続するアンテナ給電部とを、含み、
前記スピーカーユニットから離隔して配置されて、該スピーカーユニットとの電気的干渉が最小化するように構成されることを特徴とする請求項２３に記載の無線通信機器。
【請求項２６】
前記アンテナ部は、前記振動膜の外周の少なくとも一部を囲むように形成される導電性部材を含むことを特徴とする請求項２５に記載の無線通信機器。
【請求項２７】
前記ディスプレイユニット、前記入力ユニット、前記マイクロホン、前記トランシーバモジュール、前記アンテナ一体型スピーカー及び前記制御部が配設される筐体を含み、
前記アンテナ一体型スピーカーは、前記筐体に内蔵されて、該筐体に形成された貫通孔を介して外部に音を出力することを特徴とする請求項２１に記載の無線通信機器。
【請求項２８】
前記アンテナ一体型スピーカーは、前記スピーカーユニットを囲むように構成されて、該スピーカーユニットが発生した音を外部に出力するための貫通孔を有するスピーカーケースを含むことを特徴とする請求項２１に記載の無線通信機器。
【請求項２９】
前記アンテナユニットは、前記スピーカーケースの外周の少なくとも一部分に取り付けられる導電体、又は前記スピーカーケースの外周面の少なくとも一部分に塗布される導電パターンを含むことを特徴とする請求項２８に記載の無線通信機器。
【請求項３０】
前記アンテナユニットは、部分的に屈曲した形状を有して形成されることを特徴とする請求項２９に記載の無線通信機器。
【請求項３１】
第１筐体及び第２筐体と、
前記第１筐体と前記第２筐体とを開閉方向に相対回転可能に連結するヒンジ部と、を含み、
前記アンテナ一体型スピーカーは、前記ヒンジ部の両端部の少なくとも一方に装着されることを特徴とする請求項２９に記載の無線通信機器。
【請求項３２】
前記アンテナ一体型スピーカーは、前記ヒンジ部の両端部のそれぞれに装着され、ダイバーシティアンテナ機能を有することを特徴とする請求項３１に記載の無線通信機器。
【請求項３３】
前記アンテナ一体型スピーカーは、前記スピーカーユニットと前記アンテナユニットとの間に配置される絶縁部材をさらに含むことを特徴とする請求項２１に記載の無線通信機器。
【発明の詳細な説明】
【技術分野】
【０００１】
本発明は、無線信号を送受信するアンテナと、音を出力するスピーカーとを一体化したアンテナ一体型スピーカー及びその製造方法、並びに無線通信機器に関する。
【背景技術】
【０００２】
一般に、無線通信機器は、有線通信機器とは異なり、空中に放射された無線電波（無線信号）を受信したり、空中に無線信号を放出したりするためのアンテナを備える。また、そのアンテナを介して受信した情報（音信号）に基づいて音を出力するために、スピーカーも備える。
【０００３】
このような無線通信機器の一例として移動通信端末機を説明する。図８は、一般的な移動通信端末機の斜視図である。
【０００４】
図８において、移動通信端末機は、その本体である第１筐体１０と第２筐体２０とがヒンジ部３０によって開閉方向に相対回転可能に連結される形態を有している。このような形態の移動通信端末機は、折り畳み型移動通信端末機ともいわれる。
【０００５】
第１筐体１０の前面には、各種文字や数字などの情報を入力するためのキーパッド１１や音を入力するためのマイク１３などが設けられる。バッテリ１５は、第１筐体１０の背面に着脱可能に装着される。また、制御部（例えば、プリント基板）は、第１筐体１０に内蔵されて本体の各部品を電気的に制御する。
【０００６】
第２筐体２０の前面には、視覚情報を出力するためのディスプレイ２１や音を出力するためのスピーカー２３などが設けられる。
【０００７】
ヒンジ部３０は、第１筐体１０の一端部の両側に突設される第１ヒンジハウジング３１と、それに対応して第２筐体２０の一端部の中央から突設される第２ヒンジハウジング３３とを含む。さらに、第１ヒンジハウジング３１及び第２ヒンジハウジング３３の内部には、第１筐体１０及び第２筐体２０が、開閉方向に相対回転することを可能にするヒンジ軸（図示せず）が配置される。
【０００８】
以上のような移動通信端末機が基地局との間で無線信号を送受信するために、本体には無線信号を送受信できるアンテナ４０が設置される。
【０００９】
このアンテナ４０は、通常、第１筐体１０の外部に突設される外部アンテナ４１の形態が用いられる。但し、最近では、外部アンテナ４１の代わりに本体内に収納される形態の内蔵型アンテナ４３も登場している。
【００１０】
一般に、１つの移動通信端末機には１つのアンテナ（４１又は４３）が備えられればよい。但し、ダイバーシティ受信を行うために、一対のアンテナ（４１及び４３）が１つの移動通信端末機に装着される場合もある。
【００１１】
ダイバーシティ受信は、主にＤＭＢ（Digital Multimedia Broadcasting）サービスなどに利用される受信方法であり、フェージングの影響を受けるおそれのある独立した複数の信号を受信し、これらを適切に合成してフェージングを克服するための技術である。ダイバーシティ受信では、２つ以上の独立した受信経路を取得しなければならないため、前記のように２つ以上のアンテナ（４１及び４３）を必要とするのである。
【発明の開示】
【発明が解決しようとする課題】
【００１２】
ところで、移動通信端末機などの無線通信機器においては、アンテナ及びスピーカーが必須であるため、これらの設置のためのスペースが必要となる。ここで、ダイバーシティ受信を行う場合には、複数のアンテナが必要となるので、その設置のために必要となるスペースがさらに大きくなる。
【００１３】
一方、無線通信機器は、その特性上、携帯用として使用される場合が多いので、携帯の利便性（携帯性）を確保するために全体のサイズに大きな制約を受ける。すなわち、小型化が望まれるのである。
【００１４】
このため、無線通信機器の機能とその携帯性とを両立させるために、アンテナ及びスピーカーのサイズを小さくし、これらの設置のためのスペースを小さくする努力が続けられているが、未だ十分とは言えず、更なる改良が求められている。
【００１５】
本発明は、このような課題に着目してなされたものであり、移動通信端末機等の無線通信機器におけるアンテナ及びスピーカーの設置スペースを小さくし、もって無線通信機器の小型化及びレイアウト自由度の拡大を図ることを目的とする。
【課題を解決するための手段】
【００１６】
上記目的を達成するために、本発明は、無線通信機器に装着されるアンテナ一体型スピーカーであって、前記無線通信機器の制御部からの電気信号に対応する音を出力するスピーカーユニットと、前記スピーカーユニットに設けられ、前記制御部と連動して無線信号を送受信するアンテナユニットとを含むことを特徴とする。
【００１７】
また、本発明は、無線通信機器に装着されるアンテナ一体型スピーカーの製造方法であって、入力される電気信号に対応する音を出力するスピーカーユニットに、無線信号を送受信するためのアンテナ部を形成する段階と、前記無線通信機器に装着された際に、前記アンテナ部と前記無線通信機器の制御部とを電気的に接続するアンテナ給電部を形成する段階と、を含むことを特徴とする。
【００１８】
また、本発明は、無線通信機器であって、本体と、前記本体に装着されて前記本体を電気的に制御する制御部と、前記本体に装着されて前記制御部に電気的に接続されるアンテナ一体型スピーカーと、を含んで構成され、前記アンテナ一体型スピーカーは、前記制御部からの電気信号に対応する音を出力するスピーカーユニットと、前記スピーカーユニットに形成され、前記制御部と連動して無線信号を送受信するアンテナユニットと、を含むことを特徴とする。
【発明の効果】
【００１９】
本発明によれば、アンテナとスピーカーを一体化することにより、これらが独立して設置された場合に比べて、その設置空間を小さくすることができる。したがって、無線通信機器の小型化を図ることができ、また、無線通信機器の全体的な設計自由度（レイアウト自由度）も向上する、という効果がある。
【発明を実施するための最良の形態】
【００２０】
本明細書では、無線通信機器の一例として移動通信端末機を中心に説明する。但し、移動通信端末機に限定されるものではなく、スピーカー及びアンテナを備えて無線通信が可能な全ての電子機器（無線通信機器）を含むものとする。なお、そのような無線通信機器としては、ＰＤＡ（Personal Digital Assistant）、ＭＰ３プレーヤ、ＰＭＰ（Portable Multimedia Player）などがある。
【００２１】
以下、本発明の好ましい実施形態に係るアンテナ一体型スピーカー及びその製造方法、並びに、該アンテナ一体型スピーカーを備える無線通信機器について添付図面を参照して詳細に説明する。
【００２２】
図１は、本発明の第１実施形態に係るアンテナ一体型スピーカーを備える無線通信機器としての移動通信端末機の斜視図である。
【００２３】
図１に示すように、移動通信端末機は、本体と、制御部１１６と、アンテナ一体型スピーカー１４０とを含む。
【００２４】
本体は、第１筐体１１０、第２筐体１２０及びヒンジ部１３０を含んで構成され、第１筐体１１０と第２筐体１２０とがヒンジ部１３０によって開閉方向に相対的に回転可能に連結されている。すなわち、本実施形態に係る移動通信端末機は、いわゆる「折り畳み型」の移動通信端末機である。
【００２５】
第１筐体１１０の前面（上部ケース１１０ａ側）には、ユーザーの操作によって各種情報が入力される入力ユニット１１１と、音（声）を入力するためのマイク（マイクロホン）１１３とが設けられている。なお、図では、入力ユニット１１１がキーパッドの形態をしているが、タッチスクリーン方式などで構成することもできる。バッテリ１１５は、第１筐体１１０の背面（下部ケース１１０ｂ側）に着脱可能に装着されており、移動通信端末機に電力を供給する。
【００２６】
第２筐体１２０の一面（移動通信端末機を閉状態としたときに第１筐体１１０の前面と対向する面）には視覚情報を出力するために、例えばＬＣＤ（Liquid Crystal Display）などからなるディスプレイユニット１２１が設けられる。
【００２７】
また、ヒンジ部１３０は、第１筐体１１０及び第２筐体１２０の対向する端部からそれぞれ突設された第１ヒンジハウジング１３１及び第２ヒンジハウジング１３３と、それらの内部を貫通するように設けられるヒンジ軸（図示せず）とから構成されており、このヒンジ軸を中心として第１筐体１１０と第２筐体１２０とが開閉方向に相対的に回転できるようになっている。
【００２８】
制御部１１６は、第１筐体１１０の内部に装着されるプリント基板の形態を有する。この制御部１１６は、入力ユニット１１１及びマイク１１３などからの入力を受けるとともに、ディスプレイユニット１２１などに所定の出力が行われるように本体１００内の各電子部品を制御する。
【００２９】
アンテナ一体型スピーカー１４０は、第１筐体１１０の内部に装着され、アンテナ機能とスピーカー機能との両方を実現する。もちろん、このようなアンテナ一体型スピーカー１４０の一部が、第１筐体１１０の外部に突出した形態とすることも可能である。
【００３０】
図２は、閉状態にある移動通信端末機の断面図であり、アンテナ一体型スピーカーの装着状態を説明するための図である。
【００３１】
図２に示すように、第１筐体１１０の下部ケース１１０ｂ側には、音孔１１７が開口している。アンテナ一体型スピーカー１４０は、この音孔１１７から音を出力するのに適した状態となるように配置される。このため、下部ケース１１０ｂには、支持部１１８が突出形成されており、この支持部１１８によってアンテナ一体型スピーカー１４０が位置決めされて支持される。また、アンテナ一体型スピーカー１４０は、接続線１１６′によって制御部１１６（図１参照）に電気的に接続されている。
【００３２】
この場合、スピーカー、アンテナのそれぞれが本体内の異なる場所に装着されるのでなく、特定の一つの場所に装着される。従って、残った場所（スペース）を他の部品の設置などのために活用できる。例えば、図１に示す本実施形態に係る移動通信端末機では、図８に示す移動通信端末機のようにスピーカー２３を設置するためのスペースを必要としないため、両者の第２筐体１２０、２０が同じ大きさであれば、本実施形態に係る移動通信端末機のディスプレイユニット１２１を、従来の移動通信端末機のディスプレイユニット２１よりも大きくすることができる。あるいは、スピーカー２３を設置するためのスペースを必要としないことから、移動通信端末機をより小型化することができる。すなわち、図１における第２筐体１２０のサイズを、図８における第２筐体２０のサイズよりも小さくすることができる。つまり、スピーカーとアンテナとを一体化することにより、移動通信端末機を小型化することができたり、移動通信端末機において活用できるスペースが大きくなって設計自由度が向上したりするという利点が生じる。
【００３３】
次に、アンテナ一体型スピーカー１４０の具体的な構成について、図３、図４を参照して説明する。
【００３４】
図３は、本実施形態に係るアンテナ一体型スピーカーの拡大斜視図であり、図４は、図３のＩＶ−ＩＶ断面図である。
【００３５】
図３及び図４に示すように、本実施形態に係るアンテナ一体型スピーカー１４０は、スピーカーユニット１４１と、このスピーカーユニット１４１に形成されるアンテナユニット１４７とを含む。すなわち、アンテナ一体型スピーカー１４０は、スピーカーユニット１４１とアンテナユニット１４７とが一体的に形成されたものであり、スピーカーユニット１４１が音の出力を担当し、アンテナユニット１４７が無線信号の送受信を担当する。
【００３６】
具体的に説明すると、スピーカーユニット１４１は、振動板（振動膜）１４３と、スピーカー給電部１４５とを含んで構成される。振動板１４３は、例えば圧電素子で形成されており、スピーカー給電部１４５から入力された電気信号により振動して音を発生する。
【００３７】
スピーカー給電部１４５は、一対の端子部１４５−１，１４５−２と、これに対応する印加部１４５−３，１４５−４とを有している。そして、振動板１４３には、端子部１４５−１とこれに接続される印加部１４５−３とにより第１信号が印加され、端子部１４５−２とこれに接続される印加部１４５−４とにより第２信号が印加される。第１信号と第２信号とは、１８０度の位相差を有する信号で構成される。
【００３８】
アンテナユニット１４７は、振動板１４３を囲むように設けられ、該振動板１４３に連結されるアンテナ部１４８−１と、該アンテナ部１４８−１と制御部１１６（図１参照）とを電気的に接続させるためのアンテナ給電部１４８−２とを有している。アンテナ部１４８−１は、導電性材料で形成するか、又は非導電性物質に導電性物質を塗布して導電パターンを形成することにより製作できる。
【００３９】
ここで、スピーカーユニット１４１の印加部１４５−４と、アンテナユニット１４７のアンテナ部１４８−１とは離隔するように形成され、互いに電気的な影響（干渉）を及ぼさないようにしなければならない。このため、印加部１４５−４とアンテナ部１４８−１とを近接させて配置しなければならない場合などは、これらの間に絶縁部材１４９をさらに配置される。例えば、本実施形態では、図４に示すように、アンテナ部１４８−１が、その収容溝１４８−１ａによって振動板１４３の外周を支持するように構成されており、振動板１４３の外周と、これを収容するアンテナ部１４８−１の収容溝１４８−１ａとの間に絶縁部材１４９が設けられている。
【００４０】
以下、図１〜図４を参照して本実施形態に係るアンテナ一体型スピーカー１４０及びこれを備える移動通信端末機の動作について説明する。
【００４１】
まず、スピーカー機能について説明する。制御部１１６は、ユーザーによる入力ユニット１１１の操作などに対応して所定の音を出力するための電気信号をスピーカーユニット１４１のスピーカー給電部１４５に提供する。振動板１４３は圧電素子で形成されており、このスピーカー給電部１４５を介して入力された電気信号に反応して振動する。これにより、制御部１１６の制御によってスピーカーユニット１４１は所定の音を発生する。この音は、第１筐体１１０に形成された音孔１１７から外部に放出される。
【００４２】
次に、アンテナ機能について説明する。無線信号を送信する場合、制御部１１６によって提供される無線通信のための電気信号が、アンテナ給電部１４８−２を介してアンテナ部１４８−１に印加される。この電気信号は、共振により電磁気波に変換されて空中に放射される。なお、無線信号を受信する場合は、上記送信する場合と逆の方式で行われる。ここで、制御部１１６が無線信号を送受信するための機能を備えていてもよいが、制御部１１６とは別に無線信号を送受信するためのトランシーバモジュールを備える構成である場合には、制御部１１６がアンテナユニット１４１とトランシーバモジュールを適宜制御して無線信号を送受信することになる。
【００４３】
図５は、図３に示すアンテナ部の他の形態を説明するための概念図である。
【００４４】
図５に示すように、アンテナ部は、図３に示すアンテナ部１４８‐１のような円形状のものに限定されるものではない。すなわち、例えばアンテナ部で送受信しようとする周波数帯域の波長に応じてアンテナ部の長さを調整（長く）しなければならない場合がある。このような場合、図３に示す円形のアンテナ部１４８‐１の半径を大きくして対応することが考えられるが、そうするとアンテナ一体型スピーカー１４０全体が大きくなってしまうことになる。しかし、図５に示すアンテナ部１４８‐１′のように、部分的に屈曲させたり、しわ状にしたり、ひだ状にしたりすることで導電経路を長くすることにより（このような形態を含め本明細書では略円形状と表現する）、アンテナ一体型スピーカー１４０のサイズの大型化を抑制しつつ、十分に長いアンテナ部とすることができ、前記半径を大きくするのと同様の効果が得られる。
【００４５】
図６は、本発明の第２実施形態に係るアンテナ一体型スピーカーを備える無線通信機器としての移動通信端末機の斜視図であり、図７は、図６のアンテナユニットの給電部を説明するための概念図である。図６及び図７においては、前述の図面と同じ構成については同じ参照番号を付し、それについての説明は省略する。
【００４６】
図６及び図７に示すように、本発明の第２実施形態に係るアンテナ一体型スピーカー１５０は、スピーカーユニット１５１と、アンテナユニット１５５とを含む。
【００４７】
スピーカーユニット１５１は、制御部１１６（図１参照）に電気的に接続して音を発生するスピーカーモジュール１５２と、このスピーカーモジュール１５２を囲むように設けられるスピーカーケース１５３とを含む。ここで、スピーカーモジュール１５２は、電気信号が入力されて音を発生するモジュールを総称する概念であり、前述したような圧電変換方式のスピーカーモジュールだけでなく、他のいずれの方式（動電形変換、静電変換等）のものでもよい。また、スピーカーケース１５３には音孔１５３′が開口しており、スピーカーモジュール１５２から発生した音が該音孔１５３′を介して外部に放出されるようになっている。
【００４８】
アンテナユニット１５５は、スピーカーケース１５３に形成されるアンテナ部１５６と、このアンテナ部１５６と制御部１１６を電気的に接続させるアンテナ給電部とを含む。アンテナ部１５６は、導電体で形成されてスピーカーケース１５３の外周面の少なくとも一部に取り付けられるか、スピーカーケース１５３の外周面（の一部）に導電性物質を塗布するなどの方式で形成される導電パターンである。また、このアンテナ部１５６を制御部１１６と電気的に接続するためのアンテナ給電部は、アンテナ部１５６から延びるアンテナ端子１５６′と、このアンテナ端子１５６′と制御部１１６とを電気的に接続する接続端子１５７とを含む。なお、アンテナ端子１５６′と接続端子１５７とを接続するための締結手段としては、図に示すように、ねじ１５８などが使用される。
【００４９】
このような第２実施形態に係るアンテナ一体型スピーカー１５０の動作は、前述した第１実施形態と同様であるため省略するが、当業者であれば十分に理解できるであろう。
【００５０】
また、本発明の第２実施形態に係るアンテナ一体型スピーカー１５０は、図６に示すように、ヒンジ部１３０の両端部に形成される収容空間１３１′にそれぞれ装着される。つまり、折り畳み型の移動通信端末機において、第１筐体１１０と第２筐体１２０とを開閉方向に相対回転可能に連結するヒンジ部１３０内にアンテナ一体型スピーカー１５０を配置し、このヒンジ部１３０がアンテナ及びスピーカーとしての機能を有するようにしたものである。これにより、従来、あまり利用されていなかったヒンジ部１３０、特にヒンジ軸が挿入される空間以外のスペース（余裕空間）を有効に活用することができ、その結果、移動通信端末機の本体（第１筐体１１０や第２筐体１２０）の空間をより効果的に活用できることにもなる。
【００５１】
また、ヒンジ部１３０の両端部のいずれか一方にアンテナ一体型スピーカー１５０を装着してもよいが、ヒンジ部１３０の両端部に一対のアンテナ一体型スピーカー１５０を装着することにより、ダイバーシティ受信（ダイバーシティアンテナ機能）を実現できる。なお、上記第１実施形態に係るアンテナ一体型スピーカー１４０を一対で備えることも可能であり、また、第２実施形態に係るアンテナ一体型スピーカー１５０と第１実施形態に係るアンテナ一体型スピーカー１４０とを共に採用することも可能である。この場合、第２実施形態に係るアンテナ一体型スピーカー１５０をヒンジ部１３０の両端部にそれぞれ装着してもよいし、いずれか一方の端部のみに装着してもよい。
【００５２】
以上説明した実施形態から以下の技術思想を把握し得る。
まず、無線通信機器としての移動通信端末機は、視覚情報を出力するディスプレイユニットと、情報が入力される入力ユニットと、音を受信する（受信した音を電気信号に変換する）マイクロホンと、無線信号を送受信するためのトランシーバモジュールと、音を出力する（電気信号を音に変換して出力する）スピーカーユニットの外周上の少なくとも一部に取り付けられたアンテナユニットを含むアンテナ一体型スピーカーと、前記ディスプレイユニット、前記入力ユニット、前記マイクロホン、前記トランシーバモジュール及び前記アンテナ一体型スピーカーを制御するコントローラと、を含んで構成される。
【００５３】
ここで、前記コントローラは、前記スピーカーユニットに電気信号を印加して該スピーカーユニットから音を出力させ、前記アンテナユニット及び前記トランシーバモジュールを制御して前記無線信号を送受信する。
【００５４】
前記スピーカーユニットは、圧電素子又は電磁石を使用したものである。また、前記スピーカーユニットは、振動膜と、この振動膜と前記制御部とを電気的に接続するように形成され、前記制御部からの電気信号を前記振動膜に印加するスピーカー給電部と、を含み、
前記スピーカー給電部を介して前記制御部からの電気信号が印加されると、前記振動膜が振動するように構成される。
【００５５】
前記スピーカー給電部は、前記アンテナユニットから離隔して配置され、該アンテナユニットとの間の電気的干渉を最小化するように構成される。
【００５６】
前記アンテナユニットは、前記振動膜の外周部分の少なくとも一部に対応するように形成されるアンテナ部と、前記アンテナ部と前記制御部とを電気的に接続するアンテナ給電部とを、含み、前記スピーカーユニットから離隔して配置されて、該スピーカーユニットとの電気的干渉が最小化するように構成される。前記アンテナ部は、前記振動膜の外周の少なくとも一部を囲むように形成される導電性部材を含む。
【００５７】
前記ディスプレイユニット、前記入力ユニット、前記マイクロホン、前記トランシーバモジュール、前記アンテナ一体型スピーカー及び前記制御部は、移動通信端末機の筐体に配設される。前記アンテナ一体型スピーカーは、前記筐体に内蔵されて、前記筐体に形成された貫通孔を介して外部に音を出力する。これにより、例えばスピーカーホン機能を実現できる。
【００５８】
前記アンテナ一体型スピーカーは、前記スピーカーユニットを囲むように構成されて、該スピーカーユニットが発生した音を外部に出力するための貫通孔を有するスピーカーケースを含むことができる。この場合において、前記アンテナユニットは、前記スピーカーケースの外周の少なくとも一部分に取り付けられ、又は前記スピーカーケースの外周面の少なくとも一部分に形成される導電パターンを含むことができる。また、前記アンテナユニットは、適切な長さを確保するために、例えば部分的に屈曲した形状を有して形成されてもよい。
【００５９】
また、第１筐体及び第２筐体と、前記第１筐体と前記第２筐体とを開閉方向に相対回転可能に連結させるヒンジ部とを含み、前記アンテナ一体型スピーカーを前記ヒンジ部の両端部の少なくとも一方に装着される。
【００６０】
ここで、前記アンテナ一体型スピーカーを前記ヒンジ部の両端部にそれぞれ装着して、ダイバーシティアンテナ機能を有するように構成してもよい。また、前記アンテナ一体型スピーカーは、前記スピーカーユニットと前記アンテナユニットとの間に絶縁部材が配置されるのが好ましい。
【図面の簡単な説明】
【００６１】
【図１】本発明の第１実施形態に係るアンテナ一体型スピーカーを備える移動通信端末機の斜視図である。
【図２】第１実施形態に係るアンテナ一体型スピーカーが移動通信端末機の内部に装着された状態を説明するための断面図である。
【図３】第１実施形態に係るアンテナ一体型スピーカーの拡大斜視図である。
【図４】図３のＩＶ−ＩＶ断面図である。
【図５】図３におけるアンテナ部の他の形態を説明するための概念図である。
【図６】本発明の第２実施形態に係るアンテナ一体型スピーカーを備える移動通信端末機の斜視図である。
【図７】図６におけるアンテナユニットの給電部を説明するための概念図である。
【図８】一般的な移動通信端末機を説明するための斜視図である。
【符号の説明】
【００６２】
１１０：第１筐体
１２０：第２筐体
１３０：ヒンジ部
１４０、１５０：アンテナ一体型スピーカー
１４１、１５１：スピーカーユニット
１４７：アンテナユニット
【図１】
2007089168.tif 000003
【図２】
2007089168.tif 000004
【図３】
2007089168.tif 000005
【図４】
2007089168.tif 000006
【図５】
2007089168.tif 000007
【図６】
2007089168.tif 000008
【図７】
2007089168.tif 000009
【図８】
2007089168.tif 000010